【手続補正書】
【提出日】平成20年6月5日(2008.6.5)
【手続補正１】
【補正対象書類名】明細書
【補正対象項目名】全文
【補正方法】変更
【補正の内容】
【書類名】                        明細書
【発明の名称】植物栽培装置と植物栽培方法
【特許請求の範囲】
【請求項１】
植物が植えられる培地１を植物栽培部とし、その培地１の植物栽培用液を貯液させるための容器２を設け、容器２の底部には流水溝４が設けられており、流水溝４の上部には培地１が積載されており、吸水シートなどを介して流水溝４に貯液された植物栽培用液を培地１に毛細管現象等によって補給さけるようになっており、容器２には流水溝４に貯液する水位を超した量を排水する流水溝用オーバー排水管５が設けられており、その流水溝用オーバー排水管５と対称方向に流水溝４に植物栽培用液を貯液するために、給液口３を設けて容器２に給液し、給液口３からの給液を止めた後に、流水溝４には流水溝用オーバー排水管から排水される水位に貯液されることを特徴とした植物栽培装置。
【請求項２】
流水溝用オーバー排水管５とは別に、容器２に給液口３より給液をしているときに、流水溝用オーバー排水管５より排水される水位より高い位置の水位を超えた量を排水する容器用オーバー排水管２７を設けたことを特徴とした請求項１記載の植物栽培装置。
【請求項３】
流水溝用オーバー排水管５と、容器用オーバー排水管２７のオーバー排水の流入口の位置が、上下に可動できるように容器に取り付けることを特徴とした請求項１或いは請求項２記載の植物栽培装置。
【請求項４】流水溝用オーバー排水管５と容器用オーバー排水管２７の排水される水位に併せて設けられている流入口が、一体構造のオーバー排水管と成っており、それぞれの流入口が設けられているいることを特徴とした請求項１或いは請求項２或いは請求項３記載の植物栽培装置。
【請求項５】容器２に給液口３より培地１の植物栽培用液が給液されるとき、流水溝用オーバー排水管５、または、容器用オーバー排水管２７から流れる排水が、排水管などで接続されたタンクなどに溜められ、再度、給液口３に給液されることを特徴にした請求項１或いは請求項２或いは請求項３或いは請求項４記載の作物栽培装置
【請求項６】
植物が植えられる培地１を植物栽培部とし、その培地１の植物栽培用液を貯液させるための容器２を設け、容器２の底部には流水溝４が設けられており、流水溝４の上部には培地１が積載されており、吸水シートなどを介して流水溝４に貯液された植物栽培用液を培地１に毛細管現象等によって補給さけるようになっており、容器２には流水溝４に貯液する水位を超した量を排水する流水溝用オーバー排水管５が設けられており、その流水溝用オーバー排水管５と対称方向に流水溝４に植物栽培用液を貯液するために、給液口３を設けて容器２に給液し、給液口３からの給液を止めた後に、流水溝４には流水溝用オーバー排水管から排水される水位に貯液されることを特徴とした植物栽培方法。
【発明の詳細な説明】
【０００１】
【産業上の利用分野】
本発明は、植物が植えられる培地１を植物栽培部として、その培地１の下に、植物が生育に必要な植物栽培用液として水、または、水と肥料の混合水を貯液させる容器２を位置させて、その容器２に植物栽培用液を給液して、培地１に植物栽培用液が供給される植物栽培装置と植物栽培方法に関する。
【０００２】
【従来の技術】
従来は、植物が植えられる培地を植物栽培部とし、その培地の植物栽培用液を貯液させるための流水溝を設け、流水溝の上部には培地が積載されており、吸水シートなどを介して流水溝に貯液された植物栽培用液を、培地に、毛細管現象等によって補給さけるようになっており、流水溝には植物の生育に必要な数日分に相当する植物栽培用液を、流水溝に、一定水位の幅で貯液するように成っている。そして、時間の経過と共に、流水溝に貯液された植物栽培用液が減少するため、減少した植物栽培用液を流水溝に補給しながら植物が栽培されている。また、減少した植物栽培用液を流水溝に貯液する手段として、図９で説明すると、流水溝４に植物栽培用液を給液するするために、給液口３にボールタップ３３が取り付けられており、常に一定水位で流水溝４に補給されるように成っている。また、図１０で説明すると、流水溝４に植物栽培用液を給液する給液口３の手前に電動開閉弁３６を取り付けて、流水溝４の水位を電極保持器４０に取り付けた水位電極で感知し、制御盤３４のリレーの動作によって電動開閉弁３６を開閉して、流水溝４の水位を常に一定水位で補給されるように成っている。また、この方法では、植物栽培用液が培地の底面からのみ供給されるため、培地全体に均一に植物栽培用液が保水しない欠点があり、また、植物栽培部となる培地が保水する植物栽培用液の保水分布は、吸水シートが接続されている底部、または、周辺部が一番多く、吸水シートの接続部から離れた方向に行くに従って少なく、その為に作物の根圏部が養液吸水シートの接続周辺に集中し、さらに、植物栽培用液が少なく保水される部分には、塩類の集積が多くなる欠点がある。また、植物栽培用液が培地の底面からのみ供給されるため、保水性の少ない培地では、植物栽培用液が培地の底面からのみ供給されるため植物栽培用液不足を起こす。また、培地に供給される植物栽培用液の供給量は、流水溝に貯められた植物栽培用液の水位によって決定されるため、晴天が続くようなときなどは、培地に吸水シートを介して吸い上げられる植物栽培用液の量は、植物が必要とする量より少なく、植物栽培用液の保水不足を起こし、反対に曇りが続くと、植物が必要とする量より多く、植物栽培用液の保水過剰等を起こす。また、曇りで陽の少ない日が続くと、容器に貯液された植物栽培用液の減少が少なく、新しい養液の補給が少ないために、貯液された養液に病原菌の発生が起り易く、植物が病気にかかりやすくなる。これらの事より、特殊な作物を除いては、多収量で高品質の作物を栽培する植物栽培装置、または、植物栽培方法として実用化の段階には至らず、実用面での開発は未だ十分とは云えない。そのため高品質で高収量の作物を栽培するに至っていない。
【０００３】
【発明が解決しようとする課題】
しかしながら、前述の手段にあっては、流水溝に植物栽培用液を貯液して、培地に保水させる植物栽培用液の供給は、培地の底面、または、その付近に吸水シートからのみ供給されるため、培地に植物栽培用液が十分に保水しない問題があった。また、保水性の少ない培地では、植物栽培用液が培地に十分に保水しない問題があった。また、流水溝４に貯液した植物栽培用液がなくなって、長時間経過すると、吸水シートも乾いてしまい、流水溝４に再度植物用液を貯液しても、給液シートが保水するまでの間、すぐに培地１に供給されない問題があった。
また、ボールタップを使用して流水溝に植物栽培用液を給液していると、ボールタップが摩耗して漏水し流水溝より溢れる問題があった。また、流水溝に電極等を取り付けて水位を感知して、コントロールバルブを開閉して流水溝の水位を調整されるが、使用される電極、コントロールバルブ、制御盤等が故障すると動作が不良となり、正常に流水溝に植物栽培用液を補給できない問題があった。また、流水溝に不足した植物栽培用液のみ補給しているため、流水溝に植物栽培用液の肥料成分が底の方に沈殿されて水位の上下で濃度差が生じる問題があった。また、流水溝に貯液された植物栽培用液は、植物の吸収が少ないと流水溝に補給する植物栽培用液が少ないために、滞留し腐敗を起こす問題があった。そして、これらを克服するための研究をかさねた。
【０００４】
【課題を解決するための手段】
そこで、本発明は、前述の如き課題等を解消すべく創出されたもので、植物が植えられる培地１を植物栽培部とし、その培地１の植物栽培用液を貯液させるための容器２が設けられており、容器２の底部には流水する流水溝４が設けられており、流水溝４の上部には培地１が積載されており、吸水シートなどを介して流水溝４に貯液された植物栽培用液を培地１に毛細管現象等によって補給さけるようになっており、容器２には流水溝４に貯液する水位を超した量を排水する流水溝用オーバー排水管５を設ける。そして、流水溝４に植物栽培用液を貯液するために、給液口３を設けて容器２に植物栽培用液の給液を続けると、流水溝４に貯液する水位を超した量が流水溝用オーバー排水管から排水されるのである。そこで、給液口３からの給液を止めたると、流水溝４には流水溝用オーバー排水管から排水される水位に貯液されるように構成する手段を採用した。／また、培地１と吸水シート７が植物栽培用液で十分に保水させるために、流水溝４の深さよりさらに水位を上昇させて、一定時間だけ培地１の一部、または、培地１の全体を浸すために、流水溝用オーバー排水管５とは別に、流水溝用オーバー排水管５より排水される水位より高い、流水溝４の上に積載されている培地１の底面より高い位置の水位を超えた量を排水する容器用オーバー排水管２７を設ける。そして、容器２に給液口３より植物栽培用液の給液を続けると、培地１を浸す水位を超えた量は、容器用オーバー排水管２７から排水さるのである。そこで、培地１を浸し終えた後、給液口３からの給液を止めると、流水溝４には、流水溝用オーバー排水管から排水される水位に貯液されるように構成する手段を採用した。／また、流水溝用オーバー排水管５と容器用オーバー排水管２７が一体構造に成っており、それぞれの水位を超えた量が流入する、流入口で構成したものである。そこで、容器２に流水溝用オーバー排水管５と容器用オーバー排水管２７の２個を１個にし、制作コストを安く、また、取り付け面積を小さくなるように構成する手段を採用した。／また、容器２に給液する給液口３は流水溝用オーバー排水管５、または、容器用オーバー排水管２７とは、互いに流水溝４に対して反対の位置に設けるように構成する手段を採用した。／また、容器２に給液口３より培地１の植物栽培用液が給液されるとき、流水溝用オーバー排水管５、または、容器用オーバー排水管２７から流れる排水が、排水管などで接続されたタンクなどに溜められ、再度、給液口３に給液されるよに構成する手段を採用した。／また、作物が植えられる培地１を作物栽培部とし、その培地１の灌水のための植物栽培用液を貯液させるための容器２を設け、容器２の底部には流水する流水溝４が設けられており、流水溝４の上部には培地１が積載されており、植物栽培用液を吸水シートなどを介して流水溝４に貯液された植物栽培用液を培地１に毛細管現象等によって補給されるようになっており、容器２には流水溝４に貯液する水位を超した量を排水する流水溝用オーバー排水管５が設けられており、流水溝４に植物栽培用液を貯液するために、給液口３を設けて容器２に給液し、給液口３からの給液を止めた後に、流水溝４には流水溝用オーバー排水管５から排水される水位、または、それ以下の水位に貯液される手段を採用した。／また、流水溝４に植物栽培用液を貯液するために、給液口３から植物栽培用液を容器２に供給する量は、流水溝用オーバー排水管５から排水される量より多く給液し、給液口３からの給液を止めた後に、流水溝４には流水溝用オーバー排水管５から排水される水位、または、それ以下の水位に貯液される手段を採用した。
【０００５】
【作用】
しかして、植物が植えられる培地１を植物栽培部とし、その培地１は、植物を植え付けるための培地が崩れて広がらないように、透水性のある根を通し難いシート、などで包まれており、または、植木鉢、プランターボックスに納められている。培地１に供給するための植物栽培用液を貯液させるための容器２は、温室などに畝状に分かれて配置されており、また、植物栽培用液を流水溝４を越して一時的に上昇させて植物を栽培される容器２は、図２に示すように容器２の底部に溝状の流水可能な流水溝４とで構成されている。また、植物栽培用液を流水溝４だけに貯液して植物を栽培する容器２は、流水溝４として溝状に形成された樋状の物が使用される。培地１は流水溝４の上に流水溝に落ちないように積載されており、培地１と吸水シート７の一端とが接続されており、残されたもう一端は流水溝４に貯液される植物栽培用液に浸されるように流水溝４内に置かれている。流水溝４に貯液される植物栽培用液は、吸水シート７を介して培地１に毛細管現象等の作用によって培地１に供給されるように構成されるのである。そこで、流水溝４に植物栽培用液を貯液するために、流水溝４に貯液する水位を超した量を排水するための流出口１４が設けられた流水溝用オーバー排水管５が、流水溝４に貯液される植物栽培用液と連通できる適宣位置に設けて取り付けられている。また、容器２に、植物栽培用液を給液するために給液口３が設けられており、そこで、植物栽培用液として作成された液を適宣圧力装置で配管１１に送り、開閉バルブ９の開度を調整して開き、給液口３より容器２に植物栽培用液を給液すると、流水溝４に貯液する水位を超えた量は流水溝用オーバー排水管５から排水されるように成っているのであるから、適宣圧力装置と接続されている配管１１の給液を停止するか、または、開閉バルブ９を閉じて、容器２の植物栽培用液の給液を停止すると、流水溝４には流水溝用オーバー排水管５から排水される水位に貯液されるのである、また、流水溝用オーバー排水管５の排水口１３に接続される排水管の途中に、排水の開閉を行う排水バルブを取り付けて、その排水バルブを閉じておくことによって排水されないのであるから、流水溝４に貯液する水位以上に一時的に上昇させようとするときは、上昇させる水位まで給液口３から容器２に給液し、その水位に達したら給液口３からの給液を停止し、水位を維持させた後に、その排水バルブを開くと貯液をしようとする水位まで排水され、流水溝４には流水溝用オーバー排水管５から排水される水位に貯液されるであるから、装置の構造が簡単であり、故障が少なく、確実に流水溝４に貯液を可能にしうる。／また、培地１と吸水シート７が植物栽培用液で十分に保水させるために、流水溝４の深さよりさらに水位を上昇させて、一定時間だけ倍地１の一部、または、培地１の全体を浸すために必要な水位まで上昇させて、超えた量を排水するために、図６記載のように、流入口２８が設けられた容器用オーバー排水管２７を、容器２に貯液される植物栽培用液と連通できる適宣位置に取り付けておき、容器２に給液口３から植物栽培用液が給液されると、その必要な水位を超えた量が流入口２８から流水されるのである。それで、流水溝４に植物栽培用液を貯液するために設けられた流水溝用オーバー排水管５は、容器２に給液口３からの給液量より少なく排水される構造にしておくことによって、流水溝用オーバー排水管５から排水されながら水位は上昇し、容器用オーバー排水管２７から排水されるのであるから、給液口３からの給液を停止させると、容器用オーバー排水管２７からの排水は停止し、流水溝用オーバー排水管５からは継続して流水溝４の貯液する水位に成るまで排水されて、流水溝４に植物栽培用液が貯液される。また、流水溝用オーバー排水管５の排水出口１３と接続される排水管の途中に、排水の開閉、または、排水量を調整する為の排水バルブが取り付けて、その排水バルブを閉じて、容器２に給液口３から給液を行うと、流水溝用オーバー排水管５からは排水されないで、容器用オーバー排水管２７から排水される水位まで上昇するのであるから、上昇後その排水バルブを開くことによって、流水溝用オーバー排水管５から排水されて、給液口３からの給液を停止する事によって、流水溝４の貯液する水位に成るまで排水されて、流水溝４に植物栽培用液が貯液されるのである。そこで、装置の構造が簡単であり、故障が少なく、確実に、植物栽培用液を培地１と吸水シート７が十分に保水させる事と、流水溝４に貯液させることが可能にしうる。／また、流入口１４が設けられた流水溝用オーバー排水管５と流入口２８が設けられた容器用オーバー排水管２７の、それぞれの水位を超した量が排水される流入口１４と流入口２８が、図７記載のように、一体構造のオーバー排水管と成っており、流入口１４から排水される量は、給液口３から給液される量より少なく排水される構造に成っているか、または、流入が停止できる構造に成っており、流入口２８からの排水は、給液口３から給液される量より多く排水される構造に成っていて、この一体構造のオーバー排水管を容器２に貯液される植物栽培用液と連通できる適宣位置に取り付けることに依って、装置の構造が簡単になり、故障が少なく、確実に、植物栽培用液を培地１と吸水シート７が十分に保水させる事と、流水溝４に貯液させることが可能にしうる。／また、図１記載のように、容器２に植物栽培用液を給液する給液口３は、流水溝用オーバー排水管５または容器用オーバー排水管２７とは、お互いに流水溝４の対象方向の敵宣位置に取り付けて、給液口３から給液される植物栽培用液が流水溝４、または、容器２内に沿って流れるようにし、流水溝用オーバー排水管５、または、容器用オーバー排水管２７から排水され、そして、給液口３からの給液を止めることによって、流水溝４に植物栽培用液が貯液されるようになっており、容器２に給液をするだけでなく、流水溝４に貯液した植物栽培用液が滞留しないように循環を行えるようにした装置である。／また、図８記載のように、流水溝用オーバー排水管５、容器用オーバー排水管２７から流れる排水を、排水管で集水し、その排水管と接続されたタンクなどに溜めておき、または、容器２に植物栽培用液を供給しているタンク２０に戻して、必要に応じて濃度などを調整して、再度、植物栽培用液として適宣圧力装置によって給液口３に送水して、排水される植物栽培用液を再度循環して使用されるように構成され、植物栽培用液を無駄にしないようにした装置である。
【０００６】
【実施例１】
本発明の植物栽培装置は、植物が植えられる培地１を植物栽培部とし、植物栽培部は、植物を植え付けて栽培する培地が、透水性のある根を通し難いシート状になっている培地保護シート、で包まれているもの、または、植木鉢、または、育苗鉢、プランターボックスに収められている。そして、容器２には、流水が可能な溝状に形成した流水溝４を設けて、流水溝４には、植物栽培用液の貯液が可能に成っている、そして、図１の平面図に記載した給液口３から流水溝４に給液される植物栽培用液を受ける給液受け部１８と、流水溝４に貯液された植物栽培用液が集水される集水部１６と、そして、集水部１６の部分に流水溝４に植物栽培用液を貯液する水位を超した量を排水するための流水溝用オーバー排水管５が取り付けられ、そして、培地１の培地に吸水シート７を介して流水溝４に貯液した植物栽培用液を供給するために、吸水シートの一端を培地と接続して流水溝４に垂らして、流水溝４の上に積載して構成されている。そして、流水溝４に貯液させる植物栽培用液を適宣圧力装置を利用して、配管で、給液口３に送るようにして、流水溝用オーバー排水管５からの排水を排水管をもちいて、排水されるように構成したものである。
【０００７】
【実施例２】
また、培地１が流水溝４に落ちないように、または、安定して積載する為に、図２の断面図で記載のように、流水溝４の上に支持板１２を敷いて、培地１と接続した吸水シート７を支持板１２の間から流水溝４に垂らして設置されている。
【０００８】
【実施例３】
容器２は、流水溝４の上に積載した培地１が、植物栽培用液で浸水できる深さに上昇させる水位より深く形成され、形状は図２の断面図で記載のように容器２の底部に溝状に流水溝４と、図１の平面図で記載のように給液受け部１８と、集水部１６と流水溝用オーバー排水管５で構成されている。また、簡単な構造から成る容器２として、流水溝４が樋状に形成されて、給液受け部１８と、集水部１６と流水溝用オーバー排水管５で構成されている。そして、選択された容器２が、植物栽培施設となる温室等に畝状に設置されている。
【０００９】
【実施例４】
また、図６の断面図で記載のように、容器２に、流水溝用オーバー排水管５とは別に、容器用オーバー排水管２７を取り付け、流水溝用オーバー排水管５の排水出口１３と接続される排水管の延長上に排水バルブ３０を取り付け、容器用オーバー排水管２７の排水出口１３と接続される排水管と接続されて、１本の排水管に導いて構成されている。
【００１０】
【実施例５】
また、図７の断面図で記載のように、容器２に取り付く、流水溝用オーバー排水管５と容器用オーバー排水管２７の働きを１個に集約してある一体構造のオーバー排水管２８は、１本の中空の筒の途中に流水溝用オーバー排水管５の流入口１４に代わる孔が開口しており、筒の上部の開口部は容器用排水管６の流入口２８の代わりと成るように作成されており、それぞれの水位をオーバーした排水は排水出口１３から排水されるように構成されている。
【００１１】
【実施例６】
図１の平面図と図８の構成図に記載のように、容器２の端に給液口３を配置し、流水溝用オーバー排水管５を反対の端に取り付け、培地１と植物６の下部には流水溝４が設けられており、培地１に接続それた給液シート７を介して植物栽培用液が供給される用に構成されており、タンク２０に容器２に供給する植物栽培用液を蓄えておき、そして、タンク２０にポンプ１９の給管を取り付け、ポンプ１９に配管１１を接続して、開閉バルブ９を通過して給液口３より給液され、流水溝４を流れて、流水溝用オーバー排水管１３から排水されるように構成したものである。
【００１２】
【実施例７】
そして、図１の平面図と図８の構成図に記載のように、流水溝用オーバー排水管５の排水出口１３と排水管１７で接続し、排水を集水されて、タンク２０に戻るように構成したである。
【００１３】
【実施例８】
本考案の植物栽培装置は、前述の如く構成されており、栽培方法について説明すると、前述の如く構成され容器２を、植物を栽培するための施設に、畝状に配置し、植物の生育に必要な植物栽培用液を供給する適宣圧力装置と給液口３までを配管で接続し、そして、流水溝用オーバー排水管５と容器用オーバー排水管２７の排水出口１３は排水管に接続され、その排水管は、植物の生育に必要な植物栽培用液が蓄えられているタンク、または自動的に作成されている装置に戻るように接続され、再度、適宣圧力装置をもちいて給液口３に供給できるように構成されている。ところで、容器用オーバー排水管２７は培地１まで一時的に浸水させる装置に取り付けられ、また、排水口１３と接続される排水管は、排水口１３から排水される排水を、再度、給液口３に供給しないときは、排水を溜める容器に溜めるか、そのまま排水する場所に排水管が延長されて廃水されるのである。ところで、本考案の植物栽培装置は、流水溝４に培地１に必要な植物栽培用液を貯液させて、吸水シート７を介して供給して植物を栽培する方法であり、そして、確実に、簡単な構造で、安価な装置として、給液口３から植物栽培用液を給液して、流水溝用オーバー排水管６から流水溝４に貯液する水位を超えた量を排水させる用に構成されているのであるから、流水溝４の貯液されている水位が減少したときを見計らって、給液口３に植物栽培用液を任意の一定時間給液をし、給液口３の給液が停止後に、一定水位に貯液して植物を栽培できるように構成したものである。
【００１４】
【実施例９】
また、流水溝用オーバー排水管５と容器用オーバー排水管２７の取り付け方法は、図５の記載のように、排水の流入口の位置が自由に調整できるように受け具を容器に取り付けて上限可動ができるように構成され、取り外すことに依って、流水溝４の全ての液を排水できるように成っている。
【００１５】
【実施例１０】
また、流水溝用オーバー排水管５と容器用オーバー排水管２７の取り付け位置は、図４に記載のように容器２に排水口２４を設けて、容器２とは別の位置にオーバーフロー集水容器２５を設け、排水口２４と排水管１７で集水容器流入口２６と接続し、オーバー集水容器２５に取り付けられて構成したものである。
【００１６】
【実施例１１】
ところで、流水溝４と構成している、給液受け部１８と、集水部１６と、給液口３と、流水溝用オーバー排水管５と、容器用オーバー排水管２７の取り付けの方法、または、取り付け位置は、流水溝４の底部と連通している場所であれば、具体的な取り付け手段と、取り付け位置等は図示例のもの等に限定されることなく適宣自由に設定できるものである。
【００１７】
【実施例１２】
そして、容器２を構成している具体的構成、形状、寸法、材質、配置位置、流水溝の数、形状、構成、材質、流水溝用オーバー排水管の数、形状、材質、流入口の大きさ、取りつけ位置、取れ付け方法、容器用オーバー排水管の数、形状、材質、流入口の大きさ、取りつけ位置、取りつけ方法、一体構造のオーバー排水管の数、形状、材質、寸法、取りつけ方法、流入口の大きさ、流入口の形状、給液口３の数、形状、材質、取れ付け方法、取りつけ位置、給液受け部１８の形状、材質、大きさ、集水部１６の形状、材質、大きさ、培地１となる植物栽培部の培地の種類、形状、培地保護シートの材質、形状、寸法、培地を収納する容器の材質、形状、寸法、吸水シートの材質、形状、構成、支持板１２の形状、材質、寸法、タンクの材質、形状、寸法、設置位置、植物栽培用液の成分、作成方法、栽培される作物の種類等は図示例に限定されることなく適宣自由に設定できるものである。
【００１８】
【効果】
図９または図１０で説明したように常に一定水位を保たせるためにボールタップ３３、または、電極保持器４０に水位電極３７．３８を使用してきたが、植物栽培用液が培地１の底面からのみ供給しない欠点があったが、その欠点を本発明により解消させ得る効果がある。／また、植物栽培部となる培地１が保水する植物栽培用液の保水分布は吸水シートが接続されている底部または周辺部が一番多く、吸水シートの接続部から離れた方向にいくに従い少なくなる。その為作物の根圏部が養液供給シートの接続周辺に集中するので、そしてさらに、植物栽培用液が少なく保水される部分には塩類の集積が多くなる欠点があるが、本発明はその欠点を排除することを可能にしうる効果がある。／また、晴天が続く時には植物栽培用液を吸い上げる量が少なく、また曇天には植物栽培用液の減少が少なくて、植物栽培用液の補給が少なく、流水溝に貯液された植物栽培用液が停滞して病原菌が発生するおそれがあったのあるが、本発明によりその点を排除して植物の病気の発生を防ぐことができる効果がある。
【図面の簡単な説明】
【図１】
本発明の植物栽培装置の容器に、流水溝用オーバー排水管と給液口とが反対の方向に取りつけられて、給液した養液の排水がタンクに戻されて、再度、容器に給液される構成を示した平面図である。
【図２】
植物栽培装置の容器の底部に流水溝を設けて、容器に要部を組み込んだ断面図と給液との構成図である。
【図３】
一個の容器に２列の流水溝を設けて、一個の流水溝用オーバー排水管と一個の給液口を取り付けられた容器を上面から見た図である。
【図４】
配置されている複数の容器に排水口を取りつけて、排水管で集水容器と接続し、集水容器に流水溝用オーバー排水管を取りつけた断面図である。
【図５】
本発明の植物栽培装置に流水溝用オーバー排水管が上下に可動して水位を調整できるように構成して、容器に取りつけた断面図である。
【図６】
本発明の植物栽培装置の容器に流水溝用オーバー排水管と容器用オーバー排水管を取りつけた断面図と要部との構成図である。
【図７】
本発明の植物栽培装置の容器に取り付ける、流水溝用オーバー排水管と容器用オーバー排水管の代わりに、一体構造のオーバー排水管を容器に取り付けた断面図である。
【図８】
本発明の植物栽培装置の容器と給液配管と流水溝用オーバー排水管からの排水がタンクに戻されて、再度、容器に給液される構成を示した図である。
【図９】
従来の植物栽培装置で容器に給液だけをして植物を栽培する装置に、給液のためのボールタップを容器に取り付けた構成図である。
【図１０】
従来の植物栽培装置で容器に給液だけをして植物を栽培する装置に、電極で水位を関知して容器に給液される構成図である。
【符号の説明】
１    培地保護シートで包まれた培地            ２    容器
３    給液口                                  ４    流水溝
５    流水溝用オーバー排水管                  ６    植物
７    吸水シート                              ８    流水溝に貯液する水位の表示
９    開閉バルブ                            １０  配管
１１  配管                                  １２  支持板
１３  排水出口                              １４  流水溝用オーバー排水管の流入口
１５  植物の根                              １６  集水部
１７  排水管                                １８  給液受け部
１９  ポンプ                                ２０  タンク
２１  流水の流れ方向の表示                  ２２  オーバーフロー管受け部
２３  オーリング                            ２４  排水口
２５  集水容器                              ２６  集水容器流入口
２７  容器用オーバー排水管                  ２８  容器用オーバー排水管の流入口
２９  容器用オーバー排水管の排水水位の表示  ３０  排水バルブ
３１  一体構造のオーバー排水管              ３２  ポンプの給管
３３  ボールタップ                          ３４  制御盤
３５  ケーブル                              ３６  電動開閉弁
３７．給液停止電極                          ３８．給液開始電極
３９．アース電極                            ４０．電極保持器